(57)【特許請求の範囲】
【請求項１】
４Ｇ移動通信用室外キャビネットの盗難防止装置であって、前記盗難防止装置は、
室外キャビネットのキャビネットドアの上に設置され、その上に天地四方錠が設けられ、前記天地四方錠上にそれぞれ上ロックレバーと、下ロックレバーと、左ロックレバーと右ロックレバーとが設置され、前記上ロックレバーと、左ロックレバーと右ロックレバーの上にそれぞれ伝動ロックレバーが接続され、前記伝動ロックレバーの上に若干の第１のロック舌が設けられ、各第１のロック舌はそれぞれ室外キャビネットのドア枠の内側に当接可能であるキャビネットドアパネルと、
天地四方錠と嵌合して接続され、天地四方錠によって天地四方錠の上の伝動ロックレバーを運動させることができる回転握りと、
キャビネットドアパネルの上に設置され、下ロックレバーと嵌合して接続される第２のロック舌が設けられる補助錠と、
室外キャビネットのキャビネットドアの上に設置されるとともに、キャビネットドアパネルを覆い、その四側の辺にそれぞれ第１のロック舌と嵌合される若干のスルーホールが設けられ、第１のロック舌はスルーホールを通って室外キャビネットのドア枠の内側に当接されるカバープレートと、を含むことを特徴とする４Ｇ移動通信用室外キャビネットの盗難防止装置。
【請求項２】
前記キャビネットドアパネルの上にそれぞれ空調取付口と、天地四方錠取付口と、補助錠取付口と水素ガス排気機取付口とが設けられることを特徴とする請求項１に記載の４Ｇ移動通信用室外キャビネットの盗難防止装置。
【請求項３】
前記盗難防止装置は錠ケースをさらに含み、前記錠ケースはパネルを含み、前記パネルの四側の辺にそれぞれ垂直にストッパーが設けられ、それぞれのストッパー上に垂直に接続プレートが設けられ、各ストッパーはそれぞれ天地四方錠取付口を通って、接続プレートを介してキャビネットドアパネルの上に固定され、前記天地四方錠はパネル上に固定されることを特徴とする請求項２に記載の４Ｇ移動通信用室外キャビネットの盗難防止装置。
【請求項４】
各ストッパー上にそれぞれ方形穴が設けられ、前記上ロックレバー、左ロックレバーおよび右ロックレバーはそれぞれ方形穴を通って伝動ロックレバーと接続され、前記下ロックレバーは方形穴を通って補助錠上の第２のロック舌と当接されることを特徴とする請求項３に記載の４Ｇ移動通信用室外キャビネットの盗難防止装置。
【請求項５】
前記伝動ロックレバー上にそれぞれ接続穴が設けられることを特徴とする請求項１に記載の４Ｇ移動通信用室外キャビネットの盗難防止装置。
【請求項６】
前記ロック舌は接続穴と嵌合して接続される接続手段と、室外キャビネットのドア枠の内側に当接可能な丸鋼とが接合されてなることを特徴とする請求項５に記載の４Ｇ移動通信用室外キャビネットの盗難防止装置。
【請求項７】
前記カバープレート上に空調または熱交換器の吹出し口とケーブルの出入口とが設けられることを特徴とする請求項１に記載の４Ｇ移動通信用室外キャビネットの盗難防止装置。
【発明の詳細な説明】
【技術分野】
【０００１】
本発明は盗難防止装置に関し、具体的には４Ｇ移動通信用室外キャビネットの盗難防止装置に関する。
【背景技術】
【０００２】
２０１３年に、中国工業情報化部はかかる企業の申込みにより、中国移動通信集団公司、中国電信集団公司および中国聯通集団公司に対して「ＬＴＥ/第４代のデジタルセルラ移動通信業務（ＴＤ-ＬＴＥ）」の営業ライセンスを発行した。同時に、今後も企業の申込みを合わせて様々な試験でＬＴＥ ＦＤＤとＴＤ-ＬＴＥとのマルチモードネットワークの発展モードを検討するようなことは中国工業情報化部から明らかにされる。今年、中国のＴＤ-ＬＴＥネットワークコミュニティや産業発展が十分な成果を上げた。
【０００３】
中国でＴＤ-ＬＴＥ商業化の半年以来、各地で３００以上の市まで広げ、基地局が３３万超え、ユーザ人数が６５０万超え、今年の年末まで殆どの地級市の都市圏、都市圏周囲の地域や町に広げ、一部の市町村へのホットスポット設置を実現し、中国電信、中国聯通のＴＤ-ＬＴＥネットワークも全国の大型・中型都市へ広げられている。２０１４年の年末まで、全国に４Ｇ基地局の数は５０万を超える。４Ｇネットワークの発展や大規模の４Ｇ基地局の設置に伴い、４Ｇ通信室外キャビネットは広い応用展望が期待される。
【０００４】
現在、市販の室外キャビネットは主に三点ロック構造、すなわちキャビネットドアがロック舌と上下ロックレバーによってロックされるもので、このようなロック方式は構造が簡単であるが、強度が低く、外部からのこじあけによるキャビネット内の部材盗難が発生しやすい。
【発明の概要】
【０００５】
前記室外キャビネットに存する問題を解決するために、本発明は４Ｇ移動通信用室外キャビネットの盗難防止装置を提供する。
前記目的に達するために、本発明の技術手段は以下の通りである。
【０００６】
４Ｇ移動通信用室外キャビネットの盗難防止装置であって、前記盗難防止装置は、
室外キャビネットのキャビネットドアの上に設置され、その上に天地四方錠が設けられ、前記天地四方錠上にそれぞれ上ロックレバーと、下ロックレバーと、左ロックレバーと右ロックレバーとが設置され、前記上ロックレバーと、左ロックレバーと右ロックレバーの上にそれぞれ伝動ロックレバーが接続され、前記伝動ロックレバーの上に若干の第１のロック舌が設けられ、各第１のロック舌はそれぞれ室外キャビネットのドア枠の内側に当接可能であるキャビネットドアパネルと、
天地四方錠と嵌合して接続され、天地四方錠によって天地四方錠の上の伝動ロックレバーを運動させることができる回転握りと、
キャビネットドアパネルの上に設置され、下ロックレバーと嵌合して接続される第２のロック舌が設けられる補助錠と、
室外キャビネットのキャビネットドアの上に設置されるとともに、キャビネットドアパネルを覆い、その四側の辺にそれぞれ第１のロック舌と嵌合される若干のスルーホールが設けられ、第１のロック舌はスルーホールを通って室外キャビネットのドア枠の内側に当接されるカバープレートとを含む。
【０００７】
本発明の好ましい実施例では、前記キャビネットドアパネルの上にそれぞれ空調取付口と、天地四方錠取付口と、補助錠取付口と水素ガス排気機取付口とが設けられる。
【０００８】
本発明の好ましい実施例では、前記盗難防止装置は錠ケースをさらに含み、前記錠ケースはパネルを含み、前記パネルの四側の辺にそれぞれ垂直にストッパーが設けられ、それぞれのストッパー上に垂直に接続プレートが設けられ、各ストッパーはそれぞれ天地四方錠取付口を通って、接続プレートを介してキャビネットドアパネルの上に固定され、前記天地四方錠はパネル上に固定される。
【０００９】
本発明の好ましい実施例では、各ストッパー上にそれぞれ方形穴が設けられ、前記上ロックレバー、左ロックレバーおよび右ロックレバーはそれぞれ方形穴を通って伝動ロックレバーと接続され、前記下ロックレバーは方形穴を通って補助錠上の第２のロック舌と当接される。
【００１０】
本発明の好ましい実施例では、前記伝動ロックレバー上にそれぞれ接続穴が設けられる。
【００１１】
本発明の好ましい実施例では、前記ロック舌は接続穴と嵌合して接続される接続手段と、室外キャビネットのドア枠の内側に当接可能な丸鋼とが接合されてなる。
【００１２】
本発明の好ましい実施例では、前記カバープレート上に空調または熱交換器の吹出し口とケーブルの出入口とが設けられる。
【００１３】
前記技術手段によれば、本発明は以下の有益な効果が得られる。
【００１４】
本発明は構造が簡単で、室外キャビネットのキャビネットドアの上に設置され、キャビネットドアオン時に様々なメンテナンス操作しやすく、キャビネットドアオフ時に盗難防止装置はキャビネット内の機器の装着スペースを占有せず、機器の通常動作や室外キャビネットと外部部材の接続に影響を与えない。
【００１５】
本発明は全体の強度が高く、上、下、左、右の４つの方向からキャビネットドアを固着させ、外部からのキャビネットドアのこじあけを防止でき、大幅に室外キャビネットの安全性を向上させる。
【図面の簡単な説明】
【００１６】
以下、本発明の実施例または従来技術中の技術手段を更に具体的に明らかにするために、実施例または従来技術の説明に必要する図面を簡単に説明するが、以下説明に係る図面は本発明に記載のいくつかの実施例だけであり、当分野において通常の知識を有するものには創造的労働がなくてもこれらの図面によりその他の図面を得る等が可能なことは自明であろう。
【図１】図１は本発明の構造模式図である。
【図２】図２はキャビネットドアパネルの構造模式図である。
【図３】図３はキャビネットドアパネルと空調との嵌合取付図である。
【図４】図４は天地四方錠の構造模式図である。
【図５】図５は錠ケースの構造模式図である。
【図６】図６はキャビネットドアパネルと天地四方錠との嵌合取付図である。
【図７】図７はカバープレートの構造模式図である。
【発明を実施するための形態】
【００１７】
以下、本発明による技？手段、特徴、目的と効果が明らかにされるために、図面を用いて本発明を説明する。
【００１８】
図１乃至図７を参照して、本発明はキャビネットドアパネル１００と、回転握り２００と、補助錠３００とカバープレート４００とを含む４Ｇ移動通信用室外キャビネットの盗難防止装置を提供する。
【００１９】
キャビネットドアパネル１００は長方形状とし、その全体寸法が室外キャビネットのキャビネットドアの寸法より小さく、キャビネットドアの上に取り付けられ、ロック装置の装着によってキャビネットドアのオン・オフを制御して安全性を向上させるためである。
【００２０】
ロック装置は天地四方錠５００を含み、４つの方向から室外キャビネットのキャビネットドアをロックし、優れた破壊防止機能を有する。
【００２１】
具体的に天地四方錠５００はメインロックボディ５１０を含み、メインロックボディ５１０の４つの方向上にそれぞれ上ロックレバー５１１と、下ロックレバー５１２と、左ロックレバー５１３と右ロックレバー５１４とが設けられ、メインロックボディ５１０の中間箇所に連動レバー５１５が設けられ、連動レバー５１５は上ロックレバー５１１と、下ロックレバー５１２と、左ロックレバー５１３と右ロックレバー５１４とそれぞれ連動し、連動レバー５１５を回転させる時に上ロックレバー５１１と、下ロックレバー５１２と、左ロックレバー５１３と右ロックレバー５１４を移動させることができる。
【００２２】
上ロックレバー５１１と、左ロックレバー５１３と右ロックレバー５１４の先端にそれぞれ伝動ロックレバー５２０が接続され、伝動ロックレバー５２０の上にそれぞれ若干の第１のロック舌５３０が設けられ、このように、連動レバー５１５を回転させる時に、伝動ロックレバー５２０に連動して第１のロック舌５３０を伸縮させることができる。
【００２３】
便利な移動のために、伝動ロックレバー５２０の下方に溝が設けられ、キャビネットドアパネル１００上にホイルが取り付けられ、伝動ロックレバー５２０がホイルによって摺動する。
【００２４】
第１のロック舌５３０はキャビネットドアをロックさせるためのものであり、具体的に伝動ロックレバー５２０上の接続穴と嵌合して接続される接続手段と室外キャビネットのドア枠６００の内側と当接可能な丸鋼とで接合されてなり、このように伝動ロックレバー５２０が第１のロック舌５３０を突出させた時に、第１のロック舌５３０はドア枠６００の内側と当接でき、キャビネットドアとドア枠６００との間のロックが実現される。
【００２５】
キャビネットドアパネル１００上にそれぞれ空調取付口１１０と、天地四方錠取付口１２０と、補助錠取付口１３０と水素ガス排気機取付口１４０とが設けられる。
【００２６】
空調が空調取付口１１０から外部へ取り付けられ、クリンチによってドアパネルの上にねじ締められ、固定時にフラットワッシャ、バネワッシャ、六角ナットという締付方式を採用するので、構造が強固になり、空調運転時の振動による緩みを効果的に防止できる。
【００２７】
天地四方錠取付口１２０は天地四方錠５００の取付に用い、補助錠取付口１３０は補助錠３００の取付に用い、水素ガス排気機取付口１４０は水素ガス排気機の取付に用いる。
【００２８】
キャビネットドアパネル１００は全体的にパネルであるので、天地四方錠５００は部品点数が多く、キャビネットドアパネル１００上に装着し難いだけでなく、キャビネットドアパネル１００上の使用が不便であり、本発明ではキャビネットドアパネル１００上に錠ケース７００が設けられる。
【００２９】
錠ケース７００は天地四方錠５００の取り付けに用い、キャビネットドアパネル１００上の天地四方錠５００の使用を容易にさせて、主にパネル７１０を含み、パネル７１０の四側の辺にそれぞれ垂直にストッパー７２０が設けられ、各ストッパー上に垂直に接続プレート７３０が設けられ、各ストッパー７２０はそれぞれ天地四方錠取付口１３０を通って、接続プレート７３０によってキャビネットドアパネル１００上に固定され、このようにして錠ケース７００が全体的にキャビネットドアパネル１００上に固定される。
【００３０】
パネル７１０上にねじ穴が設けられ、天地四方錠５００がパネル７１０上に固定され、連動レバー５１５がねじ穴を貫通することができる。
【００３１】
各ストッパー７２０上にそれぞれ方形穴７４０が開設され、上ロックレバー５１１、下ロックレバー５１２、左ロックレバー５１３と右ロックレバー５１４はそれぞれ方形穴７４０を通って伝動ロックレバー５２０と嵌合して接続される。
【００３２】
前記回転握り２００は連動レバー５１５上に設置され、回転握り２００を回転させることによって連動レバー５１５を回転させ、連動ロックを実現する。
【００３３】
前記ロック装置は補助錠３００をさらに含み、補助錠３００は補助錠取付口１３０を介してキャビネットドアパネル１００上に取り付けられ、かつ天地四方錠５００の下方に位置する。
【００３４】
補助錠３００は天地四方錠５００の動作状態の制限に用い、補助錠３００上に第２のロック舌が設けられ、第２のロック舌と下ロックレバー５１２とが当接可能であり、第２のロック舌と下ロックレバー５１２とが当接するように補助錠３００を回動させる時に、第２のロック舌によって下ロックレバー５１２の位置決めを行い、この場合に天地四方錠５００が動作できなくなり、第２のロック舌と下ロックレバー５１２とが離間した時に、天地四方錠５００が動作できる。
【００３５】
前記カバープレート４００は全体的に開口状の長方体とし、キャビネットドアパネル１００を覆うようにキャビネットドアパネル１００上に取り付けられ、カバープレート４００は盗難者による外部からの破壊を防止するようにキャビネットドアパネル１００とキャビネットドアパネル１００上のロック装置を保護する。
【００３６】
カバープレート４００上に空調または熱交換器の吹出し口４１０と、錠ケース穴４２０と、排？穴４３０とケーブルの出入口が設けられる。
【００３７】
空調または熱交換器の吹出し口４１０は空調または熱交換器が生成した熱の排出に用い、錠ケース穴４２０は錠ケース７００の固定に用い、排？穴４３０は水素ガス排気機の排気に用い、ケーブルの出入口は配線に用いる。
【００３８】
カバープレート４００の四側の辺にそれぞれ第１のロック舌５３０と嵌合される若干のスルーホール４４０が設けられ、第１のロック舌５３０はスルーホール４４０を通って室外キャビネットのドア枠６００の内側と当接される。
【００３９】
以下、本発明の具体的な動作手順を説明する。
【００４０】
キャビネットドアを閉じた後、回転握り２００を回転させて連動レバー５１５を回転させた時に、上ロックレバー５１１、下ロックレバー５１２、左ロックレバー５１３と右ロックレバー５１４を移動させ、伝動ロックレバー５２０によって第１のロック舌５３０を３方向へ突出させ、第１のロック舌５３０はカバープレート４００上のスルーホール４４０を通ってキャビネットドア枠６００の内側に引っ掛かられる。
【００４１】
この時にかぎで補助錠３００をロックすれば、キャビネットドアのロックができ、ロックしたキャビネットドアのいずれの側でもロック舌がドア枠６００の内側に引っ掛かられ、且ついずれの側に若干の第１のロック舌５３０が固定され、構造が強固になり、ロック信頼性が高く、キャビネットの外側からのキャビネットドアのこじあけを効果的に防止することができる。
【００４２】
キャビネットドアを開く必要があると、かぎで補助錠３００をアンロックさせ、補助錠３００上の第２のロック舌と下ロックレバー５１２を分離させ、この場合に回転握り２００を回転させて天地四方錠５００が動作でき、第１のロック舌５３０を收？させることができる。
【００４３】
以上、本発明の基本原理、主要特徴及び本発明の利点を説明した。本発明は前記実施例に限定されるものではなく、前記実施例や明細書は本発明の原理を具現化するための記述に過ぎ、本発明の精神と範囲を逸脱しない限り、様々な変形や改良を行うことができ、これら変形や改良が本発明の特許請求の範囲に含まれる。本発明の範囲は添付の特許請求の範囲及びその均等の範囲によって定義されるものである。
【図１】
0006258490.tif 000002
【図２】
0006258490.tif 000003
【図３】
0006258490.tif 000004
【図４】
0006258490.tif 000005
【図５】
0006258490.tif 000006
【図６】
0006258490.tif 000007
【図７】
0006258490.tif 000008